(57)【要約】【課題】容器の中心軸を回転軸として回転させられることにより容器内の検体の成分を遠心分離するための遠心分離用容器において、コスト増加を招くことなく、遠心分離により抽出した成分が貯留部内で張り付いたままにならないようにする。【解決手段】外観が略円柱形状の容器本体１０内部に検体を貯留する貯留部１１を備えるとともに、容器本体１０の上面に検体を貯留部１１内に注入するための開口１２が設けられた遠心分離用容器１において、容器の回転時に容器の外周側に存在する検体３２と中心軸側の空気との境界面を跨ぐ貯留部の内面位置に、中心軸Ｃから外周方向に延伸する角部を含む立体構造（溝２０）を形成する。【選択図】図８
2016000370.tif 000002
【特許請求の範囲】
【請求項１】
容器内部に検体を貯留する貯留部を備え、前記容器の中心軸を回転軸として回転させられることにより前記貯留部内の検体の成分を遠心分離するための遠心分離用容器であって、
前記容器の回転時に該容器の外周側に存在する検体と前記中心軸側の空気との境界面を跨ぐ前記貯留部の内面位置に、前記中心軸から外周方向に延伸する角部を含む立体構造が形成されている
ことを特徴とする遠心分離用容器。
【請求項２】
前記容器に前記検体を前記貯留部内に注入するための開口が設けられ、
前記貯留部の内面のうち、少なくとも前記開口が設けられた面に前記立体構造が形成されている
ことを特徴とする請求項１記載の遠心分離用容器。
【請求項３】
前記貯留部のいずれかの内面に、複数の溝および／または突条が前記中心軸から外周方向に向けて放射状に配された前記立体構造が形成されている
ことを特徴とする請求項１または２記載の遠心分離用容器。
【発明の詳細な説明】
【技術分野】
【０００１】
本発明は、容器の中心軸を回転軸として回転させられることにより容器内の検体の成分を遠心分離するための遠心分離用容器に関する。
【背景技術】
【０００２】
従来より、血液等の検体の成分を遠心分離するための遠心分離装置として特許文献１、２のような装置が知られている。
【０００３】
この遠心分離装置は、遠心分離用容器の内部に血液等の検体を貯留し、遠心分離用容器の中心軸を回転軸として回転させることにより、容器内の検体の成分を遠心分離するものである。
【０００４】
上記の遠心分離装置に用いられる遠心分離用容器は、容器本体内部に検体を貯留する貯留部を備えるとともに、容器本体に検体を貯留部内に注入するための開口が設けられ、貯留部の下面は中心から外周に向けて高くなるように傾斜しており、外周部には遠心分離した高比重の成分を収納する容積を持った環状のトラップ部を有する。
【０００５】
トラップ部には検体において分離したい成分同士の中間の比重を有する分離用ゲルが配されており、貯留部内に検体を注入した状態で容器を回転させると、分離用ゲルよりも高い比重の成分のみがトラップ部において分離用ゲルよりも外周側に移動し、分離用ゲルよりも低い比重の成分は分離用ゲルよりも内側に留まるため、これにより検体の成分を分離することができる。
【先行技術文献】
【特許文献】
【０００６】
【特許文献１】米国特許第７９４７１８６号明細書
【特許文献２】国際公開第２００８／１４０７４２号
【発明の概要】
【発明が解決しようとする課題】
【０００７】
上記のような遠心分離用容器を回転させて内部の検体の遠心分離を行った後、遠心分離用容器の回転を停止させると、通常は分離用ゲルよりも比重が低く分離用ゲルよりも内側に留まった成分は貯留部の下面中心付近に降りて貯留されるが、まれに貯留部の外周部に張り付いたまま貯留部の下面中心付近に降りてこないことがある。
【０００８】
上記のよう遠心分離用容器で一回に処理する検体の量は６００〜８００μＬとあまり多くないので、遠心分離により抽出した成分が貯留部内で張り付いたままになると、回収できる成分が減少して必要な量が回収できないという問題を生じる。
【０００９】
このような問題を解消するため、上記特許文献１では遠心分離用容器の貯留部内に親水領域と疎水領域とを適切な形状で配置して、遠心分離により抽出した成分が貯留部内で張り付いたままにならないように工夫している。
【００１０】
しかしながら、親水領域と疎水領域を適切な形状に作り分けるのは困難であり、遠心分離用容器のコストの増加を招いてしまう。
【００１１】
本発明は、上記問題に鑑みてなされたものであり、容器の中心軸を回転軸として回転させられることにより容器内の検体の成分を遠心分離するための遠心分離用容器において、コスト増加を招くことなく、遠心分離により抽出した成分が貯留部内で張り付いたままにならないように構成された遠心分離用容器を提供することを目的とするものである。
【課題を解決するための手段】
【００１２】
本発明の遠心分離用容器は、容器内部に検体を貯留する貯留部を備え、容器の中心軸を回転軸として回転させられることにより貯留部内の検体の成分を遠心分離するための遠心分離用容器であって、容器の回転時に容器の外周側に存在する検体と中心軸側の空気との境界面を跨ぐ貯留部の内面位置に、中心軸から外周方向に延伸する角部を含む立体構造が形成されていることを特徴とする。
【００１３】
ここで「容器の回転時に容器の外周側に存在する検体と中心軸側の空気との境界面を跨ぐ貯留部の内面位置に立体構造が形成される」とは、遠心分離時において外周側に張り付いた検体に立体構造全てが覆われてしまわないように立体構造が形成されていることを意味する。
【００１４】
また、「中心軸から外周方向に延伸する」とは、中心軸を中心とした半径方向に延びる成分を有することを意味し、必ずしも半径方向と一致する方向である必要はなく、半径方向に対して傾いていてもよい。また、中心軸から外周までの全領域に溝や突条のような立体構造が形成されている必要はなく、内面に張り付いている検体を内面から離間させる作用が発揮できる範囲で、中心軸から外周までの一部の領域のみに立体構造が形成されていてもよい。
【００１５】
本発明の遠心分離用容器においては、容器に検体を貯留部内に注入するための開口が設けられ、貯留部の内面のうち、少なくとも開口が設けられた面(通常は上面)に立体構造が形成されたものとすることが好ましい。
【００１６】
また、貯留部のいずれかの内面に、複数の溝および／または突条が中心軸から外周方向に向けて放射状に配された立体構造が形成されたものとしてもよい。
【発明の効果】
【００１７】
本発明の遠心分離用容器によれば、容器の回転時に容器の外周側に存在する検体と中心軸側の空気との境界面を跨ぐ貯留部の内面位置に、中心軸から外周方向に延伸する角部を含む立体構造を形成しているが、このような立体構造は容器をインジェクション成形等で形成する場合に型の形状を調整するだけでよいため、コスト増加を招くことなく、遠心分離により抽出した成分が貯留部内で張り付いたままにならないようにすることができる。
【００１８】
本発明の遠心分離用容器において、容器に検体を貯留部内に注入するための開口が設けられ、貯留部の内面のうち、少なくとも開口が設けられた面(通常は上面)に立体構造が形成されたものとすれば、分離用ゲルよりも内側に留まった成分が貯留部の下面中心付近に降りる際の主な抵抗となる上面側での抽出成分の張り付きを解消できるので、より確実に内面から検体を離間させることができる。
【００１９】
また、貯留部のいずれかの内面に、複数の溝および／または突条が中心軸から外周方向に向けて放射状に配された立体構造が形成されたものとすれば、複数の溝および／または突条により貯留部の内面と内面に張り付いている検体との間に空気を入れることができるので、より確実に内面から検体を離間させることができる。
【図面の簡単な説明】
【００２０】
【図１】本発明の一実施の形態の遠心分離用容器の上面図
【図２】上記遠心分離用容器の断面図（図１のII−II線断面図）
【図３】上記遠心分離用容器の貯留部の内側上面を下方から見た図
【図４】上記遠心分離用容器の上側部材の断面図（図３のIＶ−IＶ線断面図）
【図５】本発明の遠心分離用容器の上側部材のその他の態様を示す断面図
【図６】上記遠心分離用容器を用いた遠心分離装置の概略構成図
【図７】上記遠心分離用容器における検体投入時の状態を示す図
【図８】上記遠心分離用容器における遠心分離時の状態を示す図
【図９】上記遠心分離用容器における遠心分離後の状態を示す図
【発明を実施するための形態】
【００２１】
以下、図面を参照して本発明の実施の形態について詳細に説明する。図１は本発明の一実施の形態の遠心分離用容器の上面図、図２は上記遠心分離用容器の断面図（図１のII−II線断面図）、図３は上記遠心分離用容器の貯留部の内側上面を下方から見た図、図４は上記遠心分離用容器の上側部材の断面図（図３のIＶ−IＶ線断面図）、図５は本発明の遠心分離用容器の上側部材のその他の態様を示す断面図である。
【００２２】
本実施の形態の遠心分離用容器１は、外観が略円柱形状の容器本体１０内部に検体を貯留する貯留部１１を備えるとともに、容器本体１０の上面に検体を貯留部１１内に注入するための開口１２が設けられたものである。
【００２３】
容器本体１０は、上側部材１０ａと下側部材１０ｂとを嵌合させて固着したものであり、上側部材１０ａと下側部材１０ｂとの間に形成される貯留部１１の下面は、中心から外周に向けて高くなるように傾斜しており、また貯留部１１の外周部には検体から遠心分離された高比重の成分を収納する容積を持った環状のトラップ部１３が形成されている。トラップ部１３には、検体において分離したい成分同士の中間の比重を有する分離用ゲル１４が配されている。例えば、検体として血液を用いて、血液を血球成分と血漿成分に分離する場合には、分離用ゲル１４としては血球成分と血漿成分の中間の比重を有するものを用いればよい。
【００２４】
また、貯留部１１の内側上面（上側部材１０ａ）には、図３および図８に示すように、容器の回転時に容器の外周側に存在する検体３２と中心軸側の空気との境界面を跨ぐ内面位置に、中心軸Ｃから外周方向に延伸する角部を含む立体構造（溝２０）が形成されている。より具体的には、複数の溝２０が中心軸から外周方向に向けて放射状に配された立体構造が形成されている。ここで角部とは、角が丸まっていなければ直角に限らず鋭角でも鈍角でもよい。
【００２５】
この溝２０は、幅、深さともに０．１ｍｍ程度以上で角部を含む立体構造であればよく、このような溝２０を設けることにより、溝内の検体が自らの表面張力によって角部から離れようと作用して溝内に空気が入り込み、貯留部１１の内側上面と内側上面に張り付いている検体（後述の血漿成分３２を例示）との間に空気の通過部２０ａができて、貯留部１１の内側上面と内側上面に張り付いている検体（後述の血漿成分３２を例示）との間に空気が入り込むようになるため、内側上面から検体を離間させることができる。
【００２６】
このような立体構造は上側部材１０ａをインジェクション成形等で形成する場合に型の形状を調整するだけでよいため、コスト増加を招くことがない。
【００２７】
また、貯留部１１の内側上面に立体構造を形成しているため、分離用ゲル１４よりも内側に留まった成分が貯留部１１の下面中心付近に降りる際の主な抵抗となる上面側での抽出成分の張り付きを解消できる。
【００２８】
さらに、複数の溝２０が中心軸から外周方向に向けて放射状に配された立体構造としているため、複数の溝２０により貯留部１１の内側上面と内側上面に張り付いている検体との間に空気を入れることができる。
【００２９】
これにより、本実施の形態の遠心分離用容器１は、コスト増加を招くことなく、より確実に貯留部１１の内側上面から検体を離間させて、遠心分離により抽出した成分が貯留部１１内で張り付いたままにならないようにすることができる。
【００３０】
なお、図５に示すように、溝の代わりに突条２１としてもよい。この場合でも、貯留部１１の内側上面と内側上面に張り付いている検体（後述の血漿成分３２を例示）との間に空気の通過部２１ａができ、貯留部１１の内側上面と内側上面に張り付いている検体（後述の血漿成分３２を例示）との間に空気を入れることができるので、上記と同等の効果を発揮することができる。なお、突条２１の幅、高さについては、溝と同様に０．１ｍｍ程度以上であればよい。
【００３１】
また、溝や突条の配置態様については、上記のように複数の溝または突条を放射状に配置する態様に限らず、複数の溝または突条が互いにメッシュ状に交差するように配置してもよいし、溝と突条を組み合わせて配置してもよい。
【００３２】
次に、上記遠心分離用容器を用いた遠心分離装置について説明する。図６は上記遠心分離用容器を用いた遠心分離装置の概略構成図である。
【００３３】
この遠心分離装置５０は、筐体５１内部に遠心分離用容器１を収容する収容部５２を備える。収容部５２には遠心分離用容器１を保持する保持部５３が設けられており、この保持部５３は不図示の回転機構により回転自在に支持されており、保持部５３で保持している遠心分離用容器１の中心軸Ｃが回転機構の回転軸と一致するように構成されている。
【００３４】
次に、上記遠心分離装置において遠心分離用容器内の検体を遠心分離する際の作用効果について説明する。図７は上記遠心分離用容器における検体投入時の状態を示す図、図８は上記遠心分離用容器における遠心分離時の状態を示す図、図９は上記遠心分離用容器における遠心分離後の状態を示す図である。なお、ここでは検体として血液を用いた場合を例として示している。
【００３５】
図７に示すように、まず遠心分離用容器１の貯留部１１内に血液３０が注入される。具体的には、容器本体１０の上面に設けられた開口１２から、ピペットや注射器等により血液３０が注入される。
【００３６】
次に、血液３０が注入された遠心分離用容器１は、遠心分離装置５０の収容部５２に収納され、遠心分離用容器１の中心軸Ｃを回転軸として回転させられる。すると、図８に示すように、分離用ゲル１４よりも高い比重の血球成分３１のみがトラップ部１３において分離用ゲル１４よりも外周側に移動し、分離用ゲル１４よりも低い比重の血漿成分３２は分離用ゲル１４よりも内周側に張り付く。
【００３７】
そして、遠心分離用容器１の回転を停止させると、図９に示すように、分離用ゲル１４よりも外周側の血球成分３１はトラップ部１３においてトラップされたまま、分離用ゲル１４よりも内周側の血漿成分３２のみが貯留部１１の下面中心付近に降りて貯留される。このとき、本実施の形態の遠心分離用容器１は、貯留部１１の内側上面に上述のような立体構造を形成しているため、遠心分離により抽出した血漿成分３２が貯留部１１内で張り付いたままにならないようにすることができる。これにより血漿成分３２のみを効率的に抽出することができる。
【００３８】
ここで、本実施の形態の遠心分離用容器１の具体的な大きさに説明する。図２に示すように、トラップ部１３の外周の直径は２５ｍｍ、内周の直径は２０ｍｍ、高さは１ｍｍである。また、貯留部１１の内側上面（上側部材１０ａ）の傾斜角θａ、内側下面（下側部材１０ｂ）の傾斜角θｂはともに３０°〜６０°に形成される。また、貯留部１１の下端から上端までの高さは１５ｍｍである。また、溝２０は、上側部材１０ａの傾斜上端からトラップ部１３の外周端まで延びるように形成されている。トラップ部１３には予め４００μＬの分離用ゲル１４が配されており、貯留部１１内には６００〜８００μＬの検体が供給される。従って、遠心分離時には貯留部１１内で１０００〜１２００μＬの容量の物質が回転することになる。
【００３９】
この遠心分離用容器１を２６０００ｒｐｍで回転させると、図８に示すように、検体は全て外周側に張り付くが、溝２０が上側部材１０ａの傾斜上端からトラップ部１３の外周端まで延びるように形成されており、この溝２０が容器の回転時に容器の外周側に存在する血漿成分３２と中心軸側の空気との境界面を跨ぐため、回転停止後に貯留部１１の内側上面と内側上面に張り付いている場合でも血漿成分３２との間に空気が入り込み、内側上面から検体を離間させ貯留部の下面中心付近に降ろすことができる。
【００４０】
なお、遠心分離装置において、遠心分離後に遠心分離用容器１に対して軽い衝撃を加えるような機構を設ければ、より確実に貯留部１１の内側上面から検体を離間させて、遠心分離により抽出した成分が貯留部１１内で張り付いたままにならないようにすることができる。なお、このような機構としては、保持部５３を軽いハンマーで殴打したり、カムを用いて保持部５３を揺動させる等、どのような機構を用いてもよい。
【００４１】
以上、本発明の好ましい実施の形態について説明したが、本発明は上記実施の形態に限定されるものではなく、本発明の要旨を逸脱しない範囲において、各種の改良や変形を行なってもよいのは勿論である。
【符号の説明】
【００４２】
１      遠心分離用容器
１０    容器本体
１０ａ  上側部材
１０ｂ  下側部材
１１    貯留部
１２    開口
１３    トラップ部
１４    分離用ゲル
２０    溝
２１    突条
３０    血液
３１    血球成分
３２    血漿成分
５０    遠心分離装置
５１    筐体
５２    収容部
５３    保持部
【図１】
2016000370.tif 000003
【図２】
2016000370.tif 000004
【図３】
2016000370.tif 000005
【図４】
2016000370.tif 000006
【図５】
2016000370.tif 000007
【図６】
2016000370.tif 000008
【図７】
2016000370.tif 000009
【図８】
2016000370.tif 000010
【図９】
2016000370.tif 000011